(57)【要約】【課題】電源オフ状態あるいは省電力状態から起動状態への遷移を指示する遷移指示が受け付けられた後において、音声認識処理を適切に実行することが可能な技術を提供する。【解決手段】画像形成装置は、省電力状態（あるいは電源オフ状態）から起動状態への遷移を当該画像形成装置に対して指示する遷移指示をユーザから受け付ける。当該遷移指示に応答して、画像形成装置は、音声指示待機動作（当該遷移指示の後における当該ユーザによる音声指示を待機する動作）と予備駆動動作（当該遷移指示の後において起動状態に至るまでに予備的に実行すべき機械的駆動動作）とが重ならないように、当該音声指示待機動作と予備駆動動作とのそれぞれの実行タイミングを調整する。【選択図】図３
2020099006.tif 000002
【特許請求の範囲】
【請求項１】
画像形成装置であって、
電源オフ状態あるいは省電力状態から起動状態への遷移を前記画像形成装置に対して指示する遷移指示をユーザから受け付ける遷移指示受付手段と、
前記遷移指示の後における前記ユーザによる音声指示を待機する音声指示待機動作と前記遷移指示の後において前記起動状態に至るまでに予備的に実行すべき機械的駆動動作である予備駆動動作とのそれぞれの実行タイミングを調整する調整処理を実行する調整手段と、
を備え、
前記調整手段は、前記遷移指示に応答して、前記音声指示待機動作と前記予備駆動動作とが重ならないように前記調整処理を実行することを特徴とする画像形成装置。
【請求項２】
請求項１に記載の画像形成装置において、
前記調整手段は、前記音声指示待機動作と前記予備駆動動作とのうちの一方の動作の終了後に他方の動作が実行されるように前記調整処理を実行することを特徴とする画像形成装置。
【請求項３】
請求項２に記載の画像形成装置において、
前記調整手段は、前記遷移指示が音声を用いて付与された場合、前記音声指示待機動作の終了後に前記予備駆動動作が実行されるように前記調整処理を実行することを特徴とする画像形成装置。
【請求項４】
請求項３に記載の画像形成装置において、
前記調整手段は、前記遷移指示が音声を用いて付与された場合、前記音声指示待機動作の終了に応答して前記予備駆動動作が開始されるように前記調整処理を実行することを特徴とする画像形成装置。
【請求項５】
請求項４に記載の画像形成装置において、
前記調整手段は、前記音声指示が完了した旨が判定されると、前記音声指示待機動作を終了して前記予備駆動動作を開始させることを特徴とする画像形成装置。
【請求項６】
請求項４に記載の画像形成装置において、
前記調整手段は、前記音声指示が受け付けられていない状態が所定時間よりも長く継続すると、前記音声指示待機動作を終了して前記予備駆動動作を開始させることを特徴とする画像形成装置。
【請求項７】
請求項３から請求項６のいずれかに記載の画像形成装置において、
前記調整手段は、前記遷移指示が音声を用いずに付与された場合、前記予備駆動動作の終了後に前記音声指示待機動作が実行されるように前記調整処理を実行するとともに、前記予備駆動動作の終了まで前記音声指示待機動作が実行されない旨を前記ユーザに通知することを特徴とする画像形成装置。
【請求項８】
請求項２に記載の画像形成装置において、
前記遷移指示に先立って、前記音声指示待機動作と前記予備駆動動作とのうち優先して実行すべき動作である優先動作を設定することが可能な設定制御手段、
をさらに備え、
前記調整手段は、前記優先動作に関して前記設定制御手段によって設定された設定内容に基づいて前記調整処理を実行することを特徴とする画像形成装置。
【請求項９】
請求項８に記載の画像形成装置において、
前記調整手段は、前記予備駆動動作が前記優先動作として設定されている場合、前記予備駆動動作の終了後に前記音声指示待機動作が実行されるように前記調整処理を実行するとともに、前記予備駆動動作の終了まで前記音声指示待機動作が実行されない旨を前記ユーザに通知することを特徴とする画像形成装置。
【請求項１０】
請求項８に記載の画像形成装置において、
前記調整手段は、前記音声指示待機動作が前記優先動作として設定されている場合、前記音声指示待機動作の終了後に前記予備駆動動作が実行されるように前記調整処理を実行することを特徴とする画像形成装置。
【請求項１１】
請求項８に記載の画像形成装置において、
前記調整手段は、前記音声指示待機動作が前記優先動作として設定されている場合、前記音声指示待機動作の終了に応答して前記予備駆動動作が開始されるように前記調整処理を実行することを特徴とする画像形成装置。
【請求項１２】
請求項１１に記載の画像形成装置において、
前記調整手段は、前記音声指示が完了した旨が判定されると、前記音声指示待機動作を終了して前記予備駆動動作を開始させることを特徴とする画像形成装置。
【請求項１３】
請求項１１に記載の画像形成装置において、
前記調整手段は、前記音声指示が受け付けられていない状態が所定時間よりも長く継続すると、前記音声指示待機動作を終了して前記予備駆動動作を開始させることを特徴とする画像形成装置。
【請求項１４】
請求項２から請求項１３のいずれかに記載の画像形成装置において、
前記画像形成装置は、第１の処理部における第１の駆動動作と第２の処理部における第２の駆動動作とを前記予備駆動動作として実行することが可能であり、
前記調整手段は、前記音声指示待機動作の終了後に前記予備駆動動作が実行されるように前記調整処理を実行した場合において、前記第１の処理部の動作を伴い且つ前記第２の処理部の動作を伴わないジョブの実行指示が前記音声指示待機動作にて受け付けられたときには、前記第１の駆動動作を前記予備駆動動作として実行し且つ前記第２の駆動動作を前記予備駆動動作として実行すべきでない旨を決定することを特徴とする画像形成装置。
【請求項１５】
請求項２から請求項１３のいずれかに記載の画像形成装置において、
前記画像形成装置は、第１の処理部における第１の駆動動作と第２の処理部における第２の駆動動作とを前記予備駆動動作として実行することが可能であり、
前記調整手段は、前記音声指示待機動作の終了後に前記予備駆動動作が実行されるように前記調整処理を実行した場合において、前記第１の処理部と前記第２の処理部とのいずれの動作をも伴わないジョブの実行指示が前記音声指示待機動作にて受け付けられたときには、前記第１の駆動動作と前記第２の駆動動作との双方を前記予備駆動動作として実行すべきでない旨を決定することを特徴とする画像形成装置。
【請求項１６】
請求項１４または請求項１５に記載の画像形成装置において、
前記第１の処理部は、前記画像形成装置のプリンタ部であり、
前記第２の処理部は、前記画像形成装置のスキャナ部であることを特徴とする画像形成装置。
【請求項１７】
請求項１４または請求項１５に記載の画像形成装置において、
前記第１の処理部は、前記画像形成装置のスキャナ部であり、
前記第２の処理部は、前記画像形成装置のプリンタ部であることを特徴とする画像形成装置。
【請求項１８】
請求項１に記載の画像形成装置において、
前記調整手段は、前記遷移指示が音声を用いて付与された場合において、
前記遷移指示に係る前記音声の音量が一定程度よりも小さいときには、前記調整処理を実行し、
前記音量が前記一定程度よりも大きいときには、前記調整処理を実行せず、前記音声指示待機動作と前記予備駆動動作とが並行して実行されることを許容することを特徴とする画像形成装置。
【請求項１９】
請求項１から請求項１８のいずれかに記載の画像形成装置において、
前記予備駆動動作は、画像安定化処理において中間転写ベルトにトナー像を転写する転写動作であって前記中間転写ベルトの駆動を伴う転写動作を含むことを特徴とする画像形成装置。
【請求項２０】
請求項１から請求項１９のいずれかに記載の画像形成装置において、
前記予備駆動動作は、所定の位置とシェーディング補正処理におけるシェーディング補正位置との間をスライダが移動するスライダ移動動作を含むことを特徴とする画像形成装置。
【請求項２１】
画像形成装置に内蔵されたコンピュータに、
ａ）電源オフ状態あるいは省電力状態から起動状態への遷移を前記画像形成装置に対して指示する遷移指示をユーザから受け付けるステップと、
ｂ）前記遷移指示の後における前記ユーザによる音声指示を待機する音声指示待機動作と前記遷移指示の後において前記起動状態に至るまでに予備的に実行すべき機械的駆動動作である予備駆動動作とのそれぞれの実行タイミングを調整する調整処理を実行するステップと、
を実行させるためのプログラムであって、
前記ステップｂ）においては、前記遷移指示に応答して、前記音声指示待機動作と前記予備駆動動作とが重ならないように前記調整処理が実行されることを特徴とするプログラム。
【請求項２２】
画像形成装置の制御方法であって、
ａ）電源オフ状態あるいは省電力状態から起動状態への遷移を前記画像形成装置に対して指示する遷移指示をユーザから受け付けるステップと、
ｂ）前記遷移指示の後における前記ユーザによる音声指示を待機する音声指示待機動作と前記遷移指示の後において前記起動状態に至るまでに予備的に実行すべき機械的駆動動作である予備駆動動作とのそれぞれの実行タイミングを調整する調整処理を実行するステップと、
を有し、
前記ステップｂ）においては、前記遷移指示に応答して、前記音声指示待機動作と前記予備駆動動作とが重ならないように前記調整処理が実行されることを特徴とする制御方法。
【発明の詳細な説明】
【技術分野】
【０００１】
本発明は、ＭＦＰ（マルチ・ファンクション・ペリフェラル（Multi-Functional Peripheral））などの画像形成装置、およびそれに関連する技術に関する。
【背景技術】
【０００２】
ユーザによる音声指示を待機する音声指示待機動作（音声操作モードとも称される）の実行中において当該ユーザによる音声に対して音声認識処理を実行して当該音声指示を受け付ける技術が存在する（特許文献１参照）。
【先行技術文献】
【特許文献】
【０００３】
【特許文献１】特開２０１１−３９５７１号公報
【発明の概要】
【発明が解決しようとする課題】
【０００４】
ところで、ＭＦＰにおいては、電源オフ状態あるいは省電力状態から（機械的な）起動状態への遷移を指示する遷移指示がユーザから受け付けられると、予備駆動動作（次述）が直ちに実行される。予備駆動動作（初期動作とも称される）は、当該遷移指示の後において起動状態に至るまでに予備的に実行すべき機械的駆動動作である。たとえば、ＭＦＰのプリンタ部では、画像安定化処理において中間転写ベルトにトナー像を転写する転写動作が予備駆動動作として実行される。
【０００５】
ここにおいて、当該遷移指示に応答して直ちに音声指示待機動作（当該遷移指示の後におけるユーザによる音声指示を待機する動作）を開始することが考えられる。
【０００６】
しかしながら、この場合、起動状態への遷移指示に応答して音声指示待機動作と予備駆動動作とが並行して実行されることに起因して、音声認識処理が適切に実行されない恐れがある。たとえば、音声認識率が低下する恐れがある。
【０００７】
具体的には、予備駆動動作の実行中においては、ＭＦＰの機械的駆動機構の駆動音（動作音）が発生する。たとえば、画像安定化処理におけるプリンタ部の転写動作の実行中には、中間転写ベルトの回転駆動音および各種ローラ（転写ローラおよび駆動ローラ等）の回転駆動音等が発生する。起動状態への遷移指示が付与された後において予備駆動動作と音声指示待機動作とが並行して実行される期間内にユーザが音声を発した場合、当該予備駆動動作の実行に伴って発生する駆動音と当該ユーザの音声とが重なってしまう。その結果、ユーザの音声に当該駆動音（謂わばノイズ）が混入して音声認識率が低下するなど、音声認識処理が適切に実行されない恐れがある。
【０００８】
そこで、本発明は、電源オフ状態あるいは省電力状態から起動状態への遷移を指示する遷移指示が受け付けられた後において、音声認識処理を適切に実行することが可能な技術を提供することを課題とする。
【課題を解決するための手段】
【０００９】
上記課題を解決すべく、請求項１の発明は、画像形成装置であって、電源オフ状態あるいは省電力状態から起動状態への遷移を前記画像形成装置に対して指示する遷移指示をユーザから受け付ける遷移指示受付手段と、前記遷移指示の後における前記ユーザによる音声指示を待機する音声指示待機動作と前記遷移指示の後において前記起動状態に至るまでに予備的に実行すべき機械的駆動動作である予備駆動動作とのそれぞれの実行タイミングを調整する調整処理を実行する調整手段と、を備え、前記調整手段は、前記遷移指示に応答して、前記音声指示待機動作と前記予備駆動動作とが重ならないように前記調整処理を実行することを特徴とする。
【００１０】
請求項２の発明は、請求項１の発明に係る画像形成装置において、前記調整手段は、前記音声指示待機動作と前記予備駆動動作とのうちの一方の動作の終了後に他方の動作が実行されるように前記調整処理を実行することを特徴とする。
【００１１】
請求項３の発明は、請求項２の発明に係る画像形成装置において、前記調整手段は、前記遷移指示が音声を用いて付与された場合、前記音声指示待機動作の終了後に前記予備駆動動作が実行されるように前記調整処理を実行することを特徴とする。
【００１２】
請求項４の発明は、請求項３の発明に係る画像形成装置において、前記調整手段は、前記遷移指示が音声を用いて付与された場合、前記音声指示待機動作の終了に応答して前記予備駆動動作が開始されるように前記調整処理を実行することを特徴とする。
【００１３】
請求項５の発明は、請求項４の発明に係る画像形成装置において、前記調整手段は、前記音声指示が完了した旨が判定されると、前記音声指示待機動作を終了して前記予備駆動動作を開始させることを特徴とする。
【００１４】
請求項６の発明は、請求項４の発明に係る画像形成装置において、前記調整手段は、前記音声指示が受け付けられていない状態が所定時間よりも長く継続すると、前記音声指示待機動作を終了して前記予備駆動動作を開始させることを特徴とする。
【００１５】
請求項７の発明は、請求項３から請求項６のいずれかの発明に係る画像形成装置において、前記調整手段は、前記遷移指示が音声を用いずに付与された場合、前記予備駆動動作の終了後に前記音声指示待機動作が実行されるように前記調整処理を実行するとともに、前記予備駆動動作の終了まで前記音声指示待機動作が実行されない旨を前記ユーザに通知することを特徴とする。
【００１６】
請求項８の発明は、請求項２の発明に係る画像形成装置において、前記遷移指示に先立って、前記音声指示待機動作と前記予備駆動動作とのうち優先して実行すべき動作である優先動作を設定することが可能な設定制御手段、をさらに備え、前記調整手段は、前記優先動作に関して前記設定制御手段によって設定された設定内容に基づいて前記調整処理を実行することを特徴とする。
【００１７】
請求項９の発明は、請求項８の発明に係る画像形成装置において、前記調整手段は、前記予備駆動動作が前記優先動作として設定されている場合、前記予備駆動動作の終了後に前記音声指示待機動作が実行されるように前記調整処理を実行するとともに、前記予備駆動動作の終了まで前記音声指示待機動作が実行されない旨を前記ユーザに通知することを特徴とする。
【００１８】
請求項１０の発明は、請求項８の発明に係る画像形成装置において、前記調整手段は、前記音声指示待機動作が前記優先動作として設定されている場合、前記音声指示待機動作の終了後に前記予備駆動動作が実行されるように前記調整処理を実行することを特徴とする。
【００１９】
請求項１１の発明は、請求項８の発明に係る画像形成装置において、前記調整手段は、前記音声指示待機動作が前記優先動作として設定されている場合、前記音声指示待機動作の終了に応答して前記予備駆動動作が開始されるように前記調整処理を実行することを特徴とする。
【００２０】
請求項１２の発明は、請求項１１の発明に係る画像形成装置において、前記調整手段は、前記音声指示が完了した旨が判定されると、前記音声指示待機動作を終了して前記予備駆動動作を開始させることを特徴とする。
【００２１】
請求項１３の発明は、請求項１１の発明に係る画像形成装置において、前記調整手段は、前記音声指示が受け付けられていない状態が所定時間よりも長く継続すると、前記音声指示待機動作を終了して前記予備駆動動作を開始させることを特徴とする。
【００２２】
請求項１４の発明は、請求項２から請求項１３のいずれかの発明に係る画像形成装置において、前記画像形成装置は、第１の処理部における第１の駆動動作と第２の処理部における第２の駆動動作とを前記予備駆動動作として実行することが可能であり、前記調整手段は、前記音声指示待機動作の終了後に前記予備駆動動作が実行されるように前記調整処理を実行した場合において、前記第１の処理部の動作を伴い且つ前記第２の処理部の動作を伴わないジョブの実行指示が前記音声指示待機動作にて受け付けられたときには、前記第１の駆動動作を前記予備駆動動作として実行し且つ前記第２の駆動動作を前記予備駆動動作として実行すべきでない旨を決定することを特徴とする。
【００２３】
請求項１５の発明は、請求項２から請求項１３のいずれかの発明に係る画像形成装置において、前記画像形成装置は、第１の処理部における第１の駆動動作と第２の処理部における第２の駆動動作とを前記予備駆動動作として実行することが可能であり、前記調整手段は、前記音声指示待機動作の終了後に前記予備駆動動作が実行されるように前記調整処理を実行した場合において、前記第１の処理部と前記第２の処理部とのいずれの動作をも伴わないジョブの実行指示が前記音声指示待機動作にて受け付けられたときには、前記第１の駆動動作と前記第２の駆動動作との双方を前記予備駆動動作として実行すべきでない旨を決定することを特徴とする。
【００２４】
請求項１６の発明は、請求項１４または請求項１５の発明に係る画像形成装置において、前記第１の処理部は、前記画像形成装置のプリンタ部であり、前記第２の処理部は、前記画像形成装置のスキャナ部であることを特徴とする。
【００２５】
請求項１７の発明は、請求項１４または請求項１５の発明に係る画像形成装置において、前記第１の処理部は、前記画像形成装置のスキャナ部であり、前記第２の処理部は、前記画像形成装置のプリンタ部であることを特徴とする。
【００２６】
請求項１８の発明は、請求項１の発明に係る画像形成装置において、前記調整手段は、前記遷移指示が音声を用いて付与された場合において、前記遷移指示に係る前記音声の音量が一定程度よりも小さいときには、前記調整処理を実行し、前記音量が前記一定程度よりも大きいときには、前記調整処理を実行せず、前記音声指示待機動作と前記予備駆動動作とが並行して実行されることを許容することを特徴とする。
【００２７】
請求項１９の発明は、請求項１から請求項１８のいずれかの発明に係る画像形成装置において、前記予備駆動動作は、画像安定化処理において中間転写ベルトにトナー像を転写する転写動作であって前記中間転写ベルトの駆動を伴う転写動作を含むことを特徴とする。
【００２８】
請求項２０の発明は、請求項１から請求項１９のいずれかの発明に係る画像形成装置において、前記予備駆動動作は、所定の位置とシェーディング補正処理におけるシェーディング補正位置との間をスライダが移動するスライダ移動動作を含むことを特徴とする。
【００２９】
請求項２１の発明は、画像形成装置に内蔵されたコンピュータに、ａ）電源オフ状態あるいは省電力状態から起動状態への遷移を前記画像形成装置に対して指示する遷移指示をユーザから受け付けるステップと、ｂ）前記遷移指示の後における前記ユーザによる音声指示を待機する音声指示待機動作と前記遷移指示の後において前記起動状態に至るまでに予備的に実行すべき機械的駆動動作である予備駆動動作とのそれぞれの実行タイミングを調整する調整処理を実行するステップと、を実行させるためのプログラムであって、前記ステップｂ）においては、前記遷移指示に応答して、前記音声指示待機動作と前記予備駆動動作とが重ならないように前記調整処理が実行されることを特徴とする。
【００３０】
請求項２２の発明は、画像形成装置の制御方法であって、ａ）電源オフ状態あるいは省電力状態から起動状態への遷移を前記画像形成装置に対して指示する遷移指示をユーザから受け付けるステップと、ｂ）前記遷移指示の後における前記ユーザによる音声指示を待機する音声指示待機動作と前記遷移指示の後において前記起動状態に至るまでに予備的に実行すべき機械的駆動動作である予備駆動動作とのそれぞれの実行タイミングを調整する調整処理を実行するステップと、を有し、前記ステップｂ）においては、前記遷移指示に応答して、前記音声指示待機動作と前記予備駆動動作とが重ならないように前記調整処理が実行されることを特徴とする。
【発明の効果】
【００３１】
請求項１から請求項２２に記載の発明によれば、電源オフ状態あるいは省電力状態から起動状態への遷移を指示する遷移指示に応答して、音声指示待機動作と予備駆動動作とが重ならないように当該音声指示待機動作と予備駆動動作とのそれぞれの実行タイミングが調整される。したがって、電源オフ状態あるいは省電力状態から起動状態への遷移を指示する遷移指示が受け付けられた後において、音声認識処理を適切に実行することが可能である。
【図面の簡単な説明】
【００３２】
【図１】画像処理装置（ＭＦＰ）の外観を示す図である。
【図２】ＭＦＰの機能ブロックを示す図である。
【図３】音声指示待機動作と予備駆動動作とのそれぞれの実行タイミングの調整処理の概要（一例）を示す図である。
【図４】ＭＦＰの動作を示すフローチャートである。
【図５】音声指示待機動作の終了判定に関するサブルーチン処理を示す図である。
【図６】第２実施形態に係るＭＦＰの動作を示すフローチャートである。
【図７】通知画面を示す図である。
【図８】第３実施形態に係るＭＦＰの動作を示すフローチャートである。
【図９】優先動作設定画面を示す図である。
【図１０】第３実施形態に係るＭＦＰの機能ブロックを示す図である。
【図１１】予備駆動動作に関するサブルーチン処理を示す図である。
【図１２】ジョブの種類毎における各処理部の動作の有無を示す図である。
【図１３】音声指示待機動作が停止中である旨を通知するＬＥＤ等を示す図である。
【図１４】変形例に係るＭＦＰの動作を示すフローチャートである。
【図１５】スキャナ部の構成を示す図である。
【図１６】プリンタ部の読取ユニットの構成等を中心に示す図である。
【図１７】移動前後のスライダの位置等を示す図である。
【図１８】プリンタ部のイメージングユニット付近の構成を示す図である。
【発明を実施するための形態】
【００３３】
以下、本発明の実施形態を図面に基づいて説明する。
【００３４】
＜１．第１実施形態＞
＜１−１．構成概要＞
図１は、ＭＦＰ（マルチ・ファンクション・ペリフェラル（Multi-Functional Peripheral））１の外観を示す図である。なお、図１等においては、ＸＹＺ直交座標系を用いて方向等を示している。
【００３５】
図２は、ＭＦＰ１の機能ブロックを示す図である。
【００３６】
ＭＦＰ１は、スキャン機能、コピー機能、ファクシミリ機能およびボックス格納機能などを備える装置（複合機とも称する）である。具体的には、ＭＦＰ１は、図２の機能ブロック図に示すように、画像読取部２、印刷出力部３、通信部４、格納部５、操作部６、音声入出力部７およびコントローラ（制御部）９等を備えており、これらの各部を複合的に動作させることによって、各種の機能を実現する。なお、ＭＦＰ１は、画像形成装置あるいは画像処理装置などとも称される。
【００３７】
画像読取部（スキャナ部とも称する）２は、ＭＦＰ１の所定の位置（自動原稿供給部（ＡＤＦ：Auto Document Feeder）２６（図１５）等）に載置された原稿を光学的に読み取って（すなわちスキャンして）、当該原稿の画像データ（原稿画像あるいはスキャン画像とも称する）を生成する処理部である。
【００３８】
印刷出力部（プリンタ部とも称する）３は、印刷対象に関するデータ（印刷対象データ）に基づいて紙などの各種の媒体に画像を印刷出力する処理部である。
【００３９】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１は、所望の相手先との間で各種のデータを授受することが可能である。通信部４は、各種データを送信する送信部４ａと各種データを受信する受信部４ｂとを有する。
【００４０】
格納部５は、ハードディスクドライブ（ＨＤＤ）および半導体メモリ等の記憶装置で構成される。
【００４１】
操作部６は、ＭＦＰ１に対する操作入力（操作パネル部６ｃ等に対する操作入力）を受け付ける操作入力部６ａと、各種情報の表示出力を行う表示部６ｂとを備えている。たとえば、操作部６は、省電力状態から起動状態（機械的な起動状態）への遷移を当該操作部６を用いてＭＦＰ１に指示する遷移指示をユーザから受け付けることが可能である。当該操作部６は、当該遷移指示をユーザから受け付ける遷移指示受付部としても機能する。なお、起動状態は、ジョブを実行することが可能な状態（ジョブの実行準備が完了している状態）であり、ジョブ実行可能状態（動作準備完了状態）であるとも表現される。
【００４２】
このＭＦＰ１においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作者からの各種の操作入力を受け付けることが可能である。
【００４３】
音声入出力部７（図１参照）は、音声入力を行うことが可能な音声入力部７ａ（マイク等）と、音声出力を行うことが可能な音声出力部７ｂ（スピーカ等）とを備えている。当該音声入出力部７は、たとえばＭＦＰ１の本体部の前面側（詳細には、操作部６）に設けられている。
【００４４】
音声入力部７ａは、ユーザによって発せられた音声を認識して（音声認識処理を実行して）当該ユーザによる音声入力（音声による指示）を受け付けることが可能である。たとえば、音声入力部７ａは、音声指示待機動作（省電力状態から起動状態への遷移指示の後におけるユーザによる音声指示を待機する動作）の実行中において、ユーザによる音声に対して音声認識処理を実行して音声指示を受け付けることが可能である。また、音声入力部７ａは、省電力状態から起動状態への遷移を音声を用いてＭＦＰ１に指示する遷移指示（音声遷移指示とも称される）をユーザから受け付けることも可能である。音声入力部７ａは、このような遷移指示（音声遷移指示）をユーザから受け付ける遷移指示受付部としても機能する。
【００４５】
なお、音声指示待機動作は、ＭＦＰ１が音声による指示を受付可能な状態（動作モード）で音声指示を待機する動作である、とも表現される。音声指示待機動作中においては、ＭＦＰ１は、操作者の指示に関する発話に対して音声認識を実行し、認識した指示内容を受け付ける。換言すれば、音声指示待機動作は、ＭＦＰ１が音声認識機能を有効化して音声指示を待機する動作（状態）である、とも表現される。
【００４６】
コントローラ９は、ＭＦＰ１に内蔵され、ＭＦＰ１を統括的に制御する制御装置である。コントローラ９は、ＣＰＵ（Central Processing Unit）（マイクロプロセッサあるいはコンピュータプロセッサなどとも称される）および各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１にインストールされるようにしてもよい。あるいは、当該プログラムは、ネットワーク等を経由してダウンロードされてＭＦＰ１にインストールされるようにしてもよい。
【００４７】
具体的には、図２に示されるように、コントローラ９は、上記のプログラム等の実行により、通信制御部１１と入力制御部１２と表示制御部１３と調整部１４と判定部１５と動作制御部１６とを含む各種の処理部を実現する。
【００４８】
通信制御部１１は、他の装置との間の通信動作を通信部４等と協働して制御する処理部である。
【００４９】
入力制御部１２は、操作入力部６ａ（タッチパネル２５等）に対する入力動作等を制御する制御部である。
【００５０】
表示制御部１３は、表示部６ｂ（タッチパネル２５等）における表示動作を制御する処理部である。
【００５１】
調整部１４は、予備駆動動作（後述）と音声指示待機動作とのそれぞれの実行タイミングを調整（決定）する調整処理を実行する処理部である。具体的には、調整部１４は、省電力状態から起動状態への遷移をＭＦＰ１に対して指示する遷移指示に応答して、音声指示待機動作と予備駆動動作とが重ならないように（換言すれば、音声指示待機動作の実行期間と予備駆動動作の実行期間とをずらすように）当該調整処理を実行する。
【００５２】
判定部１５は、各種の判定動作を実行する処理部である。
【００５３】
動作制御部１６は、各処理部における予備駆動動作の実行を制御する制御部である。予備駆動動作は、省電力状態（スリープ状態とも称される）あるいは電源オフ状態から起動状態（通常状態とも称される）への遷移指示の後においてＭＦＰ１が当該起動状態に至るまでに予備的に実行すべき機械的駆動動作である。後述するように、ＭＦＰ１は、スライダ２２０の移動動作と給紙ローラ２７１の下降動作と転写動作と定着ローラ３２６の回転動作とを予備駆動動作として実行することが可能である。動作制御部１６は、調整部１４によって調整された実行タイミング（予備駆動動作の実行タイミング）に従って、各処理部（詳細には、スキャナ部２およびプリンタ部３）における予備駆動動作を実行させる。
【００５４】
なお、ここでは、主にコントローラ９のＣＰＵにてソフトウエアプログラムを実行することによって、上述の各種の動作が実行されているが、これに限定されず、ＭＦＰ１（詳細には、コントローラ９の内部あるいは外部）にて設けられた専用ハードウエア等を用いて、上述の各種の動作が実行されるようにしてもよい。たとえば、通信制御部１１、入力制御部１２、表示制御部１３、調整部１４、判定部１５および動作制御部１６（図２）等の全部または一部が、１または複数の専用ハードウエアを用いて実現されてもよい。
【００５５】
＜１−２．スキャナ部の構成＞
図１５は、スキャナ部２の概略構成を示す図である。また、図１６は、スキャナ部２の読取ユニット２１０の構成等を中心に示す図である。図１６においては、ＡＤＦ２６に関する構成は示されていない。
【００５６】
図１６に示されるように、スキャナ部２は、読取ユニット２１０を備えている。
【００５７】
読取ユニット２１０は、ここでは縮小光学系型の読取部として構成される。読取ユニット２１０は、光源２１１とミラー２１２（２１２ａ，２１２ｂ，２１２ｃ）とレンズ（結像光学系）２１４と撮像部（イメージセンサ（撮像素子））２１５とを有している。読取ユニット２１０の各要素は、いずれも、透明なプラテンガラス２４４（原稿の載置面）の下側（内部側）に設けられている。光源２１１から上方の原稿９００に向けて照射（出射）された光がプラテンガラス２４４（あるいはガラス２４３）を透過して当該原稿９００で反射され、反射された光がイメージセンサ２１５に到達することによって、原稿９００の画像が取得される。
【００５８】
また、光源２１１は、複数の発光素子２１１Ｅ（不図示）を有しており、当該複数の発光素子（複数の部分光源）２１１Ｅは、主走査方向（Ｘ方向）に一次元状（直線状）に配列される発光素子列である。換言すれば、光源２１１は、主走査方向に伸延される直線状の光源である。複数の発光素子２１１Ｅは、たとえば数十個のＬＥＤ（発光ダイオード）で構成される。また、複数の発光素子２１１Ｅは、互いに独立して点灯可能である。
【００５９】
また、イメージセンサ２１５としては、複数の受光素子（画素）が主走査方向（Ｘ方向）に一次元状（直線状）に配列されたリニアイメージセンサ（ここでは、ＣＣＤラインセンサ）が用いられる。換言すれば、イメージセンサ２１５は、主走査方向に配列された複数の画素を有する光電変換素子である。当該光電変換素子によって、光源２１１から原稿９００に向かって出射され原稿９００で反射された反射光が画像信号に変換されて、原稿９００の主走査方向における直線状の画像である「ライン画像」が取得される。
【００６０】
読取ユニット２１０の光源２１１は、プラテンガラス２４４の下側に配置され、上方に向けて照明光を出射し、プラテンガラス２４４（原稿台）に載置された原稿のスキャン対象面（下側の面）を下方より照射する。光源２１１からの光は、プラテンガラス２４４を透過し、原稿９００のスキャン対象面で反射される。そして、当該反射光に係る光像は、ミラー２１２ａ，２１２ｂ，２１２ｃでさらに反射され、レンズ２１４を通過して縮小された後に、イメージセンサ２１５で受光される。イメージセンサ２１５は、用紙の幅方向（主走査方向）におけるライン画像を一度に取得する。これにより、原稿９００の或る副走査方向位置（Ｙ）での直線状の画像（ライン画像）が取得される。
【００６１】
また、読取ユニット２１０は、副走査方向（Ｙ方向）に移動可能な２つの可動部２２０ａ，２２０ｂ（可動部２２０と総称する）を有して構成されている。可動部２２０ａには、光源２１１およびミラー２１２ａが設けられており、可動部２２０ｂには、ミラー２１２ｂ，２１２ｃが設けられている。可動部（スライド部あるいはスライダとも称する）２２０ａ，２２０ｂが副走査方向（Ｙ方向）に移動することに伴って、プラテンガラス２４４上に載置された原稿９００の各副走査方向位置（Ｙ）での直線状の画像（ライン画像）がそれぞれ取得される。可動部２２０ａ，２２０ｂは、スライダ駆動部２２３（モータおよびギアなどを有する駆動機構）により駆動される。なお、可動部２２０ａ，２２０ｂの移動の際には、可動部２２０ｂが可動部２２０ａの移動量の半分の距離を移動することによって、原稿からの反射光の各反射位置からイメージセンサ２１５までの光路長が一定に維持される。
【００６２】
また、図１５に示すように、ＭＦＰ１は、ＡＤＦ２６を備えている。
【００６３】
ＡＤＦ２６は、原稿を原稿搬送経路（搬送路）２７８に沿って上流側から下流側へと搬送する。ＡＤＦ２６は、給紙ローラ（ピックアップローラ）２７１と分離ローラ２７２とタイミングローラ２７３と読取前ローラ２７４と読取後ローラ２７５，２７６とを含む複数の搬送ローラ（詳細には、複数の搬送ローラ対など）を有している。原稿載置トレイ２５１（原稿載置部）に載置された原稿（読込対象の原稿）は、給紙ローラ２７１によって分離ローラ２７２側へと送り出された後、順次、各ローラ２７２，２７３，２７４によって搬送方向下流側へと進行する。当該原稿は、各ローラ２７２，２７３，２７４，２７５，２７６およびガイド部材２７７等によって形成される搬送路２７８に沿って、原稿排出トレイ２５２へ向けて進行する。なお、原稿は、分離ローラ２７２によって分離され、１枚ずつ搬送される。また、当該原稿は、ガラス２４３の直上位置（原稿読取位置Ｐ２１）で読取ユニット２１０によって読み取られつつ、上流側から下流側へと搬送される。
【００６４】
＜１−３．プリンタ部の構成＞
図１８は、プリンタ部３のイメージングユニット付近の構成を示す図である。
【００６５】
図１８に示されるように、ＭＦＰ１は、複数（具体的には４つ）のイメージングユニット１０（詳細には、１０Ｙ，１０Ｍ，１０Ｃ，１０Ｋ）を備えている。具体的には、ＭＦＰ１は、イエローのイメージングユニット１０Ｙと、マゼンタのイメージングユニット１０Ｍと、シアンのイメージングユニット１０Ｃと、ブラックのイメージングユニット１０Ｋとを備えている。各イメージングユニット１０は、それぞれ、最終出力画像のうちの各色成分（具体的には、Ｙ（イエロー），Ｍ（マゼンタ），Ｃ（シアン），Ｋ（ブラック）の各成分）の画像を電子写真方式によって形成し、中間転写ベルト（中間転写体とも称される）３２１に転写する。そして、中間転写ベルト３２１上に重畳された各色成分の画像が、さらに用紙（転写材）に転写されることによって、用紙にフルカラー画像が形成される。なお、中間転写ベルト３２１は、各感光体から転写されたトナー画像（トナー像）を一時的に担持する像担持体であるとも表現される。
【００６６】
４つのイメージングユニット１０（１０Ｙ，１０Ｍ，１０Ｃ，１０Ｋ）は、駆動ローラ３２３と巻き掛けローラ３２４とに巻き掛けられた中間転写ベルト３２１の下側直線部分の主に下部において、当該下側直線部分に沿って直列に配置されている。各イメージングユニット１０は、それぞれ、感光体１１１と帯電器１１２と露光器１１３と現像器１１４と第１転写器（１次転写器）１１５とイレーサ（除電器）１１６とクリーナ１１７とを有している。詳細には、各イメージングユニット１０において、略円柱状の感光体１１１の外周を囲むように、帯電器１１２と露光器１１３と現像器１１４と第１転写器１１５とイレーサ１１６とクリーナ１１７とがこの順序で時計回りに配置されている。このうち、第１転写器１１５（詳細には転写ローラ）は、中間転写ベルト３２１を隔てて、感光体１１１と対向する位置に配置されている。
【００６７】
中間転写ベルト３２１は、駆動ローラ３２３の駆動によって矢印Ｒ１（図１８）の向きに移動する。また、駆動ローラ３２３に対向する位置には、中間転写ベルト３２１を隔てて、転写ローラ（２次転写ローラ）３２５が設けられている。
【００６８】
各イメージングユニット１０の下側（搬送経路上において上流側）には給紙部３３０が設けられている。給紙部３３０は、フィードローラ３３２と給紙ローラ３３３とサバキローラ３３４とレジストローラ３３５，３３６とを備えている。
【００６９】
転写ローラ（２次転写ローラ）３２５の位置を通過した用紙の搬送方向下流側には定着器（定着ローラ）３２６が設けられており、さらにその搬送方向下流側には排紙部が設けられている。
【００７０】
＜１−４．予備駆動動作について＞
ＭＦＰ１においては、省電力状態（あるいは電源オフ状態（後述））から起動状態へとＭＦＰ１が遷移（復帰）する際、予備駆動動作（初期動作とも称される）が実行される。当該予備駆動動作の実行中においては、機械的駆動機構の駆動音（動作音）が発生する。
【００７１】
たとえば、省電力状態から起動状態への遷移に際して、スキャナ部２では、シェーディング補正処理が実行される。シェーディング補正処理は、複数の受光素子（イメージセンサ２１５（図１６））の受光感度の相違等に起因して生じる輝度のムラを解消するための補正処理である。当該シェーディング補正処理に際しては、可動部（スライダ）２２０（図１７）の移動動作が予備駆動動作として実行される。
【００７２】
具体的には、省電力状態から起動状態への遷移に際して、スライダ２２０がホームポジション（読取ユニット２１０がプラテンガラス２４４上の原稿の画像を読み取るときの基準位置）Ｐ１からシェーディング補正位置Ｐ２へと移動する（図１７参照）。シェーディング補正位置Ｐ２は、読取ユニット２１０がシェーディング補正板２４５からの反射光を受光するときのスライダ２２０の位置、端的に言えばシェーディング補正動作を実行するときのスライダ２２０の位置である。シェーディング補正位置Ｐ２においてシェーディング補正処理が実行された後、当該スライダ２２０はシェーディング補正位置Ｐ２からホームポジションＰ１へと再び移動する。これらのようなスライダ移動動作の実行中においては、当該スライダ２２０の動作音（移動音）等が発生する。
【００７３】
さらに、省電力状態から起動状態への遷移に際して、スキャナ部２では、ＡＤＦ２６内の給紙ローラ（ピックアップローラ）２７１（図１５）を所定の位置（正規の位置）から原稿載置トレイ２５１に接触する位置まで下降させる下降動作が予備駆動動作として実行される。給紙ローラ２７１の下降動作の実行中においては、当該給紙ローラ２７１の移動音（および原稿載置トレイ２５１への衝突音）が発生する。なお、下降動作に加えて、給紙ローラ２７１を正規の位置に戻す（上昇させる）上昇動作もが予備駆動動作として実行されてもよい。
【００７４】
また、省電力状態から起動状態への遷移に際して、ＭＦＰ１のプリンタ部３では、画像安定化処理が実行される。当該画像安定化処理においては、各イメージングユニット１０（詳細には、各イメージングユニット１０の感光体１１１）から中間転写ベルト３２１（図１８）にトナー像を転写する転写動作が予備駆動動作として実行される。当該転写動作は、中間転写ベルト３２１の駆動および各種ローラ（駆動ローラ３２３等）の駆動等によって実現される。当該転写動作の実行中においては、中間転写ベルト３２１等の回転駆動音が発生する。
【００７５】
さらに、省電力状態から起動状態への遷移に際して、プリンタ部３では、定着器（定着ローラ）３２６（図１８）のウォームアップ動作（昇温動作）もが予備駆動動作として実行される。当該ウォームアップ動作では、ヒーターによる定着ローラ３２６の加熱処理が行われる。当該加熱処理に際して定着ローラ３２６が回転し、定着ローラ３２６の回転駆動音が発生する。
【００７６】
＜１−５．動作＞
図３は、音声指示待機動作と予備駆動動作とのそれぞれの実行タイミングの調整処理の概要（一例）を示す図である。
【００７７】
ここにおいて、省電力状態から起動状態への遷移指示が受け付けられると、当該遷移指示に応答して予備駆動動作を直ちに開始する（図３の点線Ｌ１参照）とともに、音声指示待機動作を当該予備駆動動作に並行して実行すること、が考えられる。しかしながら、このようなＭＦＰにおいては、当該遷移指示の付与後（付与直後）にユーザが音声を発した場合、機械的駆動機構の駆動音とユーザの音声とが重なり、音声認識処理において音声認識率が低下してしまう恐れがある。
【００７８】
これに対して、この実施形態では、当該遷移指示が受け付けられると、音声指示待機動作と予備駆動動作とが重ならないように当該音声指示待機動作と予備駆動動作とのそれぞれの実行タイミングが調整される。具体的には、当該遷移指示に応答して、音声指示待機動作と予備駆動動作とのうちの音声指示待機動作のみが開始される。そして、音声指示待機動作の終了後に（詳細には、音声指示待機動作の終了に応答して）予備駆動動作が開始される。
【００７９】
このような動作の詳細について、以下に説明する。
【００８０】
図４は、ＭＦＰ１の動作を示すフローチャートである。
【００８１】
ステップＳ１１において、ＭＦＰ１は、省電力状態から起動状態への遷移指示をユーザから受け付ける。省電力状態から起動状態への遷移指示としては、たとえば、操作部６内の操作ボタン（不図示）を押下する押下操作による遷移指示、あるいは起動状態への復帰（遷移）を指示する復帰指示ワード（「復帰」等）を音声入力する音声入力操作による遷移指示などが例示される。
【００８２】
なお、ここでは、省電力状態から起動状態への遷移指示が受け付けられているが、これに限定されず、電源オフ状態から起動状態への遷移を指示する遷移指示が受け付けられてもよい。たとえば、ＭＦＰ１の電源スイッチ（不図示）の切替操作（電源オフ状態から電源オン状態への切替操作）によって電源オフ状態から起動状態への遷移指示が受け付けられてもよい。
【００８３】
起動状態への遷移指示がユーザから受け付けられると、ＭＦＰ１は、音声指示待機動作と予備駆動動作とのそれぞれの実行タイミングを調整する調整処理を実行する（ステップＳ１２）。換言すれば、ＭＦＰ１は、音声指示待機動作と予備駆動動作との実行順序を決定する。
【００８４】
具体的には、ＭＦＰ１は、音声指示待機動作の終了後に予備駆動動作が実行されるように当該調整処理を実行する。より具体的には、ＭＦＰ１は、当該遷移指示に応答して予備駆動動作を直ちに開始するのではなく、当該遷移指示に応答して音声指示待機動作を開始して当該音声指示待機動作の終了後に予備駆動動作を開始すべき旨を決定する。すなわち、ＭＦＰ１は、予備駆動動作の開始タイミングを遷移指示の付与直後の時点から音声指示待機動作の終了時点まで遅らせる。
【００８５】
このようにして、ＭＦＰ１は、音声指示待機動作と予備駆動動作とが重ならないように（音声指示待機動作の実行期間Ｔ１０（図３）と予備駆動動作の実行期間Ｔ２０とをずらして）音声指示待機動作と予備駆動動作とのそれぞれの実行タイミングを調整する。換言すれば、音声指示待機動作の実行タイミングと予備駆動動作の実行タイミングとの両者の相互関係が調整される。
【００８６】
そして、処理はステップＳ１２からステップＳ１３へと進み、ＭＦＰ１は、音声指示待機動作を実行（開始）する。換言すれば、起動状態への遷移指示の後におけるユーザによる音声指示を待機する音声指示待機期間が開始される。
【００８７】
なお、起動状態への遷移に際してＭＦＰ１にて実行される動作（遷移動作）のうち、予備駆動動作以外の動作は、当該遷移指示に応答して直ちに開始される。たとえば、操作部６および／またはコントローラ９等への通電動作は、当該遷移指示に応答して直ちに開始される。すなわち、起動状態への遷移動作（複数の種類の遷移動作）のうち、機械的駆動機構の駆動音を発しない動作は当該遷移指示に応答して（音声指示待機動作と並行して）実行され、機械的駆動機構の駆動音を発する動作は当該音声指示待機動作の終了後に実行される。
【００８８】
そして、処理はステップＳ１３からステップＳ１４へと進み、ＭＦＰ１は、音声指示待機動作の終了判定処理を実行する。
【００８９】
具体的には、当該音声指示待機動作は、音声指示が完了した旨が判定されるまで、あるいは無音状態が所定時間よりも長く継続するまで実行される。
【００９０】
図５は、音声指示待機動作の終了判定処理（ステップＳ１４）に関するサブルーチン処理を示す図である。
【００９１】
まず、ステップＳ２１（図５）において、ＭＦＰ１は、音声指示（詳細には、ジョブの設定指示とジョブの実行指示とを含む音声指示）が完了したか否かを判定する。具体的には、ＭＦＰ１は、当該音声指示の完了をＭＦＰ１に対して指示する完了指示ワードが音声入力（発声）されたか否かに基づいて、音声指示が完了したか否かを判定する。音声指示の完了指示ワードとしては、たとえば、ジョブの実行指示をＭＦＰ１に対して指示するジョブ実行指示ワード（たとえば「実行」）が用いられる。
【００９２】
完了指示ワードが音声入力された場合、音声指示が完了した旨がステップＳ２１にて判定され、処理はステップＳ２１からステップＳ２４へと進む。
【００９３】
そして、ＭＦＰ１は、音声指示待機動作を終了する（ステップＳ２４）。なお、ステップＳ２４以降の動作については、後述する。
【００９４】
一方、完了指示ワードが音声入力されていない場合、音声指示は未だ完了していない旨がステップＳ２１にて判定され、処理はステップＳ２１からステップＳ２２へと進む。
【００９５】
ステップＳ２２において、ＭＦＰ１は、音声指示が継続中（設定指示の付与中）であるか否かを判定する。詳細には、無音状態であるか否か、が判定される。
【００９６】
音声指示が継続中である場合（無音状態でない場合）、処理はステップＳ２２からステップＳ２１へと戻る。そして、音声指示の継続中において、ステップＳ２１，Ｓ２２の処理が繰り返される。
【００９７】
一方、音声指示が継続中でない場合（無音状態である場合）、処理はステップＳ２２からステップＳ２３へと進む。
【００９８】
ステップＳ２３において、ＭＦＰ１は、無音状態（音声指示（音声入力）が受け付けられていない状態）が所定時間（たとえば１０秒）よりも長く継続したか否かを判定する。
【００９９】
たとえば、無音状態が所定時間に到達する前にユーザが（再び）発声し始めた場合、無音状態が所定時間よりも長く継続していない旨がステップＳ２３にて判定され、処理はステップＳ２３からステップＳ２１へと戻る。
【０１００】
一方、無音状態が所定時間に到達した場合、処理はステップＳ２３からステップＳ２４へと進み、音声指示待機動作が終了する。
【０１０１】
このようにして、音声指示待機動作の終了判定処理（ステップＳ１４）が実行される。
【０１０２】
たとえば、遷移指示が付与された（ステップＳ１１）後において、音声指示待機動作の実行中にユーザが「原稿をＡ４用紙の両面にコピーするジョブを実行」と発声した場合には、次のような動作が実行される。具体的には、ユーザが「原稿をＡ４用紙の両面にコピーするジョブを」と発声している間は、ステップＳ２１，Ｓ２２の処理が繰り返される。なお、ジョブの設定指示の付与中等において一時的に無音状態が発生した場合（たとえば、ユーザが「原稿を」と発した後に数秒間音声を発しなかった場合）、処理はステップＳ２２からステップＳ２３へと進む。そして、所定時間内にユーザが再び発声し始めたことに応答して、処理はステップＳ２３からステップＳ２１へと戻る。その後、ユーザが「実行」（完了指示ワード）を発声すると、音声指示が完了した旨がステップＳ２１にて判定されて、処理はステップＳ２１からステップＳ２４へと進む。そして、音声指示待機動作が終了し（ステップＳ２４）、音声指示待機動作の終了に応答して、処理はステップＳ１４からステップＳ１５（図４）へと進む。
【０１０３】
また、たとえば遷移指示が付与された（ステップＳ１１）後にユーザが音声を発声しなかった場合、ステップＳ２１〜Ｓ２３の処理が繰り返された後、無音状態が所定時間（たとえば１０秒）よりも長く継続したことに応答して、処理はステップＳ２３からステップＳ２４へと進む。そして、音声指示待機動作が終了し（ステップＳ２４）、音声指示待機動作の終了に応答して、処理はステップＳ１４（図４）からステップＳ１５へと進む。
【０１０４】
ステップＳ１５（図４）において、ＭＦＰ１（詳細には、調整部１４および動作制御部１６）は、予備駆動動作を実行（開始）する。予備駆動動作の内容は上述と同様である。具体的には、ＭＦＰ１のスキャナ部２において、シェーディング補正処理におけるスライダ移動動作等が予備駆動動作として実行される。また、ＭＦＰ１のプリンタ部３において、画像安定化処理における転写動作等が予備駆動動作として実行される。なお、スキャナ部２における予備駆動動作とプリンタ部３における予備駆動動作とは並行して実行される。
【０１０５】
その後、ＭＦＰ１は、音声指示待機動作にて受け付けられた音声指示に基づいてジョブを実行する。
【０１０６】
以上のように、第１実施形態では、省電力状態から起動状態への遷移を指示する遷移指示に応答して、音声指示待機動作と予備駆動動作とが重ならないように当該音声指示待機動作と予備駆動動作とのそれぞれの実行タイミングが調整される（図３参照）。したがって、省電力状態から起動状態への遷移を指示する遷移指示が受け付けられた後において、音声認識処理を適切に実行することが可能である。
【０１０７】
詳細には、上記第１実施形態では、当該遷移指示に応答して、音声指示待機動作の終了後に予備駆動動作が実行されるように調整処理が実行される。その結果、ユーザが、遷移指示を付与した直後に音声を発した場合であっても、ＭＦＰ１の機械的駆動機構の駆動音とユーザの音声とが重複しない。したがって、ＭＦＰ１の機械的駆動機構の駆動音とユーザの音声との重複に起因する音声認識率の低下を抑制することが可能である。
【０１０８】
＜２．第２実施形態＞
第２実施形態は、第１実施形態の変形例である。以下では、第１実施形態との相違点を中心に説明する。
【０１０９】
上記第１実施形態では、いずれの手法を用いて省電力状態から起動状態への遷移指示が付与された場合であっても、常に、音声指示待機動作の終了後に予備駆動動作を実行すべき旨が決定されている（ステップＳ１２（図４））。
【０１１０】
ここにおいて、ユーザは、省電力状態から起動状態への遷移指示を付与した後、当該遷移指示に用いた手法（音声入力／操作部材に対する手指による操作入力）を引き続き用いてＭＦＰ１に対する指示を付与する可能性が比較的高い、とも考えられる。
【０１１１】
たとえば、ユーザが音声を用いて当該遷移指示を付与した場合、当該ユーザが引き続き音声を用いてＭＦＰ１に対する指示を付与する可能性が比較的高い。逆に、ユーザが、音声を用いて当該遷移指示を付与したにもかかわらず、操作部６（操作部６内の操作ボタンおよび／またはタッチパネル２５）を用いてＭＦＰ１に対する指示を付与する可能性（遷移指示に用いた手法とは別の手法を用いる可能性）は比較的低い。
【０１１２】
また、ユーザが操作部６（音声以外の手法）を用いて当該遷移指示を付与した場合、当該ユーザが引き続き操作部６を用いてＭＦＰ１に対する指示を付与する可能性が比較的高い。逆に、ユーザが操作部６を用いて当該遷移指示を付与したにもかかわらず、当該ユーザが音声を用いてＭＦＰ１に対する指示を付与する可能性は比較的低い。
【０１１３】
この点を考慮して、この第２実施形態では、省電力状態から起動状態への遷移指示に用いられた手法に応じて、音声指示待機動作と予備駆動動作とのそれぞれの実行タイミングが調整される。
【０１１４】
図６は、第２実施形態に係るＭＦＰ１の動作を示すフローチャートである。
【０１１５】
この第２実施形態では、ステップＳ１１〜Ｓ１５に加えて、ステップＳ３１〜Ｓ３６の処理が実行される。
【０１１６】
具体的には、省電力状態から起動状態への遷移指示が受け付けられる（ステップＳ１１）と、ＭＦＰ１は、当該遷移指示が音声を用いて付与されたか否かを判定する（ステップＳ３１）。換言すれば、当該遷移指示が音声を用いて付与されたか否かに応じて、音声指示待機動作と予備駆動動作とのうち先行して実行すべき動作（遷移指示と予備駆動動作との実行順序）が決定される。
【０１１７】
当該遷移指示が音声を用いて付与された場合、処理はステップＳ３１からステップＳ１２〜Ｓ１５へと進む。ステップＳ１２〜Ｓ１５の処理内容は、第１実施形態（図４および図５）と同様である。具体的には、音声指示待機動作の終了後に予備駆動動作を実行すべき旨が決定される（ステップＳ１２）。そして、音声指示待機動作が開始され（ステップＳ１３）、当該音声指示待機動作の終了後（ステップＳ１４）に予備駆動動作が実行される（ステップＳ１５）。
【０１１８】
一方、当該遷移指示が音声を用いずに（たとえば、操作部６内の操作ボタンを用いて）付与された場合、処理はステップＳ３１からステップＳ３２へと進む。
【０１１９】
ステップＳ３２において、ＭＦＰ１は、予備駆動動作の終了後に音声指示待機動作が実行されるように調整処理を実行する。具体的には、ＭＦＰ１は、遷移指示に応答して予備駆動動作を開始して当該予備駆動動作の終了後に音声指示待機動作を実行すべき旨を決定する。換言すれば、ＭＦＰ１は、音声指示受付期間を予備駆動動作の実行期間（予備駆動動作期間とも称される）の終了後に開始すべき旨を決定する。
【０１２０】
そして、処理はステップＳ３２からステップＳ３３へと進み、ＭＦＰ１は、予備駆動動作を実行（開始）する。当該予備駆動動作の動作内容は第１実施形態と同様である。なお、当該予備駆動動作の実行中において、ユーザは、音声を用いてＭＦＰ１に対する指示を行うことはできないものの、ＭＦＰ１の操作部６（操作部６内の操作ボタンおよび／またはタッチパネル２５）を用いてＭＦＰ１に対する指示を行うことは可能である。
【０１２１】
また、ＭＦＰ１は、予備駆動動作の終了まで音声指示待機動作が実行されない旨（換言すれば、音声指示待機動作が停止中である旨）をユーザに対して通知する通知処理を実行する（ステップＳ３４）。
【０１２２】
図７は、予備駆動動作の終了まで音声指示待機動作が実行されない旨を通知する通知画面４００を示す図である。ＭＦＰ１は、当該通知画面４００（図７）をＭＦＰ１のタッチパネル２５に表示することによって、予備駆動動作の終了まで音声指示待機動作が実行されない旨をユーザに通知する。
【０１２３】
なお、ここでは、予備駆動動作の終了まで音声指示待機動作が実行されない旨をユーザに通知するにあたって、通知画面４００がタッチパネル２５に表示されている（図７）が、これに限定されない。たとえば、予備駆動動作の終了まで音声指示待機動作が実行されない旨の通知メッセージが音声出力されてもよい。あるいは、音声指示待機動作が実行中である旨を示すＬＥＤ８ａと音声指示待機動作が実行中でない旨を示すＬＥＤ８ｂとがＭＦＰ１の操作部６の下部に設けられており（図１３参照）、当該ＬＥＤ８ａを消灯し且つＬＥＤ８ｂを点灯させることによって、音声指示待機動作が実行されない旨が通知されてもよい。
【０１２４】
そして、ステップＳ３５において、ＭＦＰ１は、予備駆動動作（各処理部における予備駆動動作の全て）が終了したか否かを判定する。
【０１２５】
当該予備駆動動作が終了すると、処理はステップＳ３５からステップＳ３６へと進み、ＭＦＰ１は、音声指示待機動作を実行（開始）する。なお、ユーザは、音声を用いてＭＦＰ１に対する指示を付与したい場合、予備駆動動作の終了後且つ音声指示待機動作の開始後において音声指示をＭＦＰ１に対して付与することが可能である。
【０１２６】
以上のように、第２実施形態では、省電力状態から起動状態への遷移を指示する遷移指示に応答して、音声指示待機動作と予備駆動動作とが重ならないように当該音声指示待機動作と予備駆動動作とのそれぞれの実行タイミングが調整される。したがって、省電力状態から起動状態への遷移を指示する遷移指示が受け付けられた後において、音声認識処理を適切に実行することが可能である。
【０１２７】
さらに、第２実施形態では、音声を用いて当該遷移指示が付与された場合に、音声指示待機動作の終了後に予備駆動動作が実行されるように調整処理が実行される。換言すれば、遷移指示の後における指示（ＭＦＰ１に対する指示）に音声が用いられると推定される場合に、遷移指示に応答して音声指示待機動作を開始して当該音声指示待機動作の終了後に予備駆動動作をすべき旨が決定される。したがって、ユーザの意図を考慮しつつ、音声認識処理を適切に実行することが可能である。
【０１２８】
また、上記第２実施形態では、予備駆動動作の終了後に音声指示待機動作を実行すべき旨が決定される（ステップＳ３２）場合、当該予備駆動動作の終了まで音声指示待機動作が実行されない旨がユーザに通知される（ステップＳ３４）（図７も参照）。その結果、予備駆動動作の実行中に（すなわち、ＭＦＰ１が音声指示を待機していない状態において）仮にユーザが音声を発したとしても当該音声がＭＦＰ１によって受け付けられないことを当該ユーザは知得することができる。したがって、ユーザが無用な発話を行うことを回避することが可能である。
【０１２９】
なお、上記第２実施形態では、予備駆動動作の終了後に音声指示待機動作を実行すべき旨が決定される場合、当該予備駆動動作の終了まで音声指示待機動作が実行されない旨をユーザに通知する通知処理が実行されているが、これに限定されず、当該通知処理が実行されなくてもよい。当該通知処理が実行されない場合、予備駆動動作の実行中に仮にユーザが音声を発したとしても、予備駆動動作が終了するまでユーザによる音声指示は受け付けられず、音声認識処理は実行されない。したがって、音声認識率の低下が発生し得る期間（予備駆動動作の実行期間）内に音声認識処理が実行されること（すなわち、無用な音声認識処理が実行されること）を回避することが可能である。
【０１３０】
＜３．第３実施形態＞
第３実施形態は、第１実施形態の変形例である。以下では、第１実施形態との相違点を中心に説明する。
【０１３１】
上記第１実施形態では、遷移指示が受け付けられた場合、音声指示待機動作の終了後に予備駆動動作を実行すべき旨が常に決定されている（ステップＳ１２（図４））。
【０１３２】
これに対して、この第３実施形態では、優先動作（音声指示待機動作と予備駆動動作とのうち起動状態への遷移指示に応答して優先して実行すべき動作）に関する設定内容に基づいて、予備駆動動作と音声指示待機動作とのそれぞれの実行タイミングが調整される。
【０１３３】
図９は、優先動作の設定操作を受け付ける優先動作設定画面５００を示す図である。また、図１０は、第３実施形態に係るＭＦＰ１の機能ブロックを示す図である。図１０に示されるように、第３実施形態におけるＭＦＰ１のコントローラ９は、当該優先動作を設定することが可能な設定制御部１７をさらに有している。
【０１３４】
ユーザは、起動状態への遷移指示に先立って、優先動作設定画面５００（図９）を用いて、音声指示待機動作の有効性（「有効／無効」）の設定操作を行うとともに、優先動作（音声指示待機動作と予備駆動動作とのうち、起動状態への遷移指示に応答して優先して（先行して）実行すべき動作）の設定操作を行う。
【０１３５】
たとえば、ユーザは、ＭＦＰ１に対する指示に音声を用いる機会を比較的（操作部６を用いる機会よりも）多く有する場合、当該優先動作設定画面５００において、音声指示待機動作を有効に設定するとともに、音声指示待機動作を優先動作として設定する。
【０１３６】
また、ユーザは、ＭＦＰ１に対する指示に音声を用いる機会を有するものの、当該指示に操作部６を用いる機会を比較的（音声を用いる機会よりも）多く有する場合、当該優先動作設定画面５００において、音声指示待機動作を有効に設定するとともに、予備駆動動作を優先動作として設定する。
【０１３７】
さらに、ユーザは、ＭＦＰ１に対する指示に音声を用いる機会を有しない場合、当該優先動作設定画面５００において、音声指示待機動作を無効に設定する。
【０１３８】
このようにして、ユーザは、ユーザ自身によるＭＦＰ１の使用方法等を考慮して、優先動作の設定操作を行い、ＭＦＰ１（詳細には、設定制御部１７）は、当該設定操作に応じて優先動作を設定する。
【０１３９】
そして、当該遷移指示が受け付けられた際には、次のような動作が行われる。
【０１４０】
図８は、第３実施形態に係るＭＦＰ１の動作を示すフローチャートである。
【０１４１】
この第３実施形態では、図４と比較すると、ステップＳ１１〜Ｓ１５に加えて、ステップＳ４１，Ｓ４２，Ｓ３２〜Ｓ３６の処理が実行される。
【０１４２】
具体的には、起動状態への遷移指示が受け付けられる（ステップＳ１１）と、ＭＦＰ１（詳細には調整部１４）は、優先動作設定画面５００における設定内容（優先動作に関して設定制御部１７によって設定された設定内容）に基づいて、音声指示待機動作と予備駆動動作とのそれぞれの実行タイミングを調整する（ステップＳ４１，Ｓ４２）。
【０１４３】
より具体的には、まず、ＭＦＰ１は、音声指示待機動作の有効性を判定する（ステップＳ４１）。
【０１４４】
たとえば、優先動作設定画面５００（図９）において音声指示待機動作が「無効」に設定されている場合、処理はステップＳ４１から（ステップＳ１２等を経ずに）ステップＳ１５へと進む。そして、ＭＦＰ１は、（音声指示待機動作を実行することなく、）遷移指示に応答して直ちに予備駆動動作を実行する（ステップＳ１５）。なお、音声指示待機動作が「無効」に設定されている場合は、ユーザは、音声ではなく操作部６等を用いて起動状態への遷移指示を付与する。
【０１４５】
一方、優先動作設定画面５００において音声指示待機動作が「有効」に設定されている場合、処理はステップＳ４１からステップＳ４２へと進む。
【０１４６】
ステップＳ４２において、ＭＦＰ１は、音声指示待機動作が優先動作として設定されているか否かを判定する。
【０１４７】
優先動作設定画面５００において音声指示待機動作が優先動作として設定されている場合、処理はステップＳ４２からステップＳ１２〜Ｓ１５へと進む。ステップＳ１２〜Ｓ１５の処理内容は第１実施形態（図４）と同様である。具体的には、音声指示待機動作の終了後に予備駆動動作を実行すべき旨が決定される（ステップＳ１２）。そして、音声指示待機動作が開始され（ステップＳ１３）、当該音声指示待機動作の終了（ステップＳ１４）後に予備駆動動作が実行される（ステップＳ１５）。
【０１４８】
一方、優先動作設定画面５００において予備駆動動作が優先動作として設定されている場合、処理はステップＳ４２からステップＳ３２〜Ｓ３６へと進む。ステップＳ３２〜Ｓ３６の処理内容は第２実施形態（図６）と同様である。具体的には、予備駆動動作の終了後に音声指示待機動作を実行すべき旨が決定される（ステップＳ３２）。そして、当該予備駆動動作が開始され（ステップＳ３３）、当該予備駆動動作の終了（ステップＳ３５）後に音声指示待機動作が実行される（ステップＳ３６）。
【０１４９】
このように、第３実施形態では、音声指示待機動作と予備駆動動作とのうち優先動作として予め設定された動作が先行して実行され、当該優先動作の終了後に他方の動作が実行される。
【０１５０】
＜４．第４実施形態＞
第４実施形態は、第１実施形態の変形例である。以下では、第１実施形態との相違点を中心に説明する。
【０１５１】
上記第１実施形態では、音声指示待機動作の終了後に予備駆動動作が実行されるように各動作の実行タイミングが調整された場合（図３参照）、常に、スキャナ部２とプリンタ部３との双方において予備駆動動作が実行されている。
【０１５２】
ここにおいて、ＭＦＰ１では、ジョブの実行に際して動作する処理部がジョブの種類毎に異なる。図１２は、ジョブの種類毎における各処理部の動作の有無を示す図である。
【０１５３】
たとえば、コピージョブにおいては、ＡＤＦ等に載置された原稿の読取処理がスキャナ部２にて実行された後、当該原稿の画像データに基づく印刷出力処理がプリンタ部３にて実行される。すなわち、コピージョブは、スキャナ部２とプリンタ部３との双方の動作を伴うジョブである（図１２参照）。
【０１５４】
また、ボックス印刷ジョブ（ＭＦＰ１内に予め格納された印刷対象データに基づく印刷出力処理を実行するジョブ）においては、当該印刷対象データに基づく印刷出力処理がプリンタ部３にて実行されるものの、原稿の読取処理はスキャナ部２にて実行されない。すなわち、ボックス印刷ジョブは、プリンタ部３の動作を伴い且つスキャナ部２の動作を伴わないジョブである（図１２参照）。
【０１５５】
また、ファクシミリ送信ジョブにおいては、原稿の読取処理がスキャナ部２にて実行されるものの、印刷出力処理はプリンタ部３にて実行されない。すなわち、ファクシミリ送信ジョブは、スキャナ部２の動作を伴い且つプリンタ部３の動作を伴わないジョブである（図１２参照）。
【０１５６】
さらに、ＭＦＰ１内に予め格納されたデータ（送信対象データ）を他装置に送信するボックス内データ送信ジョブにおいては、原稿の読取処理も印刷出力処理も実行されない。すなわち、当該ボックス内データ送信ジョブは、プリンタ部３とスキャナ部２とのいずれの動作も伴わないジョブである（図１２参照）。
【０１５７】
このように、ＭＦＰ１においては、ジョブの実行に際して動作する処理部がジョブの種類毎に異なる。
【０１５８】
また、音声指示待機動作の終了後に予備駆動動作が実行される場合、音声指示待機動作にて受け付けられた音声指示（ジョブの実行指示）に基づいて、当該予備駆動動作の後に実行されるジョブの種類を当該予備駆動動作の開始前に特定することが可能である。
【０１５９】
これらの点を考慮して、この第４実施形態では、音声指示待機動作の終了後に予備駆動動作が実行されるように調整処理が実行された場合、当該音声指示待機動作にて受け付けられたジョブの種類に応じて、予備駆動動作を実行すべき処理部が変更される。
【０１６０】
図１１は、予備駆動動作（図４のステップＳ１５）におけるサブルーチン処理を示す図である。
【０１６１】
ここでは、コピージョブとボックス印刷ジョブとファクシミリ送信ジョブとボックス内データ送信ジョブとのいずれかのジョブの実行指示（音声による実行指示）が音声指示待機動作にて受け付けられるものとする。
【０１６２】
まず、ステップＳ６１において、ＭＦＰ１は、スキャナ部２とプリンタ部３との両処理部の双方の動作を伴うジョブの実行指示が音声指示待機動作にて受け付けられたか否か、を判定する。
【０１６３】
当該両処理部の双方の動作を伴うジョブの実行指示が音声指示待機動作にて受け付けられた場合、処理はステップＳ６１からステップＳ６４へと進む。たとえば、コピージョブの実行指示が音声指示待機動作にて受け付けられた場合、処理はステップＳ６１からステップＳ６４へと進む。
【０１６４】
ステップＳ６４において、ＭＦＰ１は、スキャナ部２における予備駆動動作とプリンタ部３における予備駆動動作との双方を実行すべき旨を決定する。そして、ＭＦＰ１のスキャナ部２において、シェーディング補正処理におけるスライダ移動動作等が予備駆動動作として実行されるとともに、ＭＦＰ１のプリンタ部３において、画像安定化処理における転写動作等が予備駆動動作として実行される。その後、当該スキャナ部２とプリンタ部３との双方における予備駆動動作の終了後に、コピージョブが実行される。
【０１６５】
一方、スキャナ部２とプリンタ部３との両処理部の双方の動作を伴うジョブとは異なるジョブの実行指示が音声指示待機動作にて受け付けられた場合、処理はステップＳ６１からステップＳ６２へと進む。たとえば、音声指示待機動作にてボックス印刷ジョブとファクシミリ送信ジョブとボックス内データ送信ジョブとのいずれかのジョブの実行指示が受け付けられた場合、処理はステップＳ６１からステップＳ６２へと進む。
【０１６６】
ステップＳ６２において、ＭＦＰ１は、スキャナ部２とプリンタ部３との両処理部のうちのプリンタ部３のみの動作を伴うジョブの実行指示が音声指示待機動作にて受け付けられたか否か、を判定する。
【０１６７】
たとえば、当該両処理部のうちのプリンタ部３のみの動作を伴うジョブの実行指示が音声指示待機動作にて受け付けられた場合、処理はステップＳ６１からステップＳ６２を経てステップＳ６５へと進む。たとえば、音声指示待機動作にてボックス印刷ジョブの実行指示が受け付けられた場合、処理はステップＳ６１からステップＳ６２を経てステップＳ６５へと進む。
【０１６８】
ステップＳ６５において、ＭＦＰ１は、プリンタ部３における予備駆動動作を実行し且つスキャナ部２における予備駆動動作を実行すべきでない旨を決定する。そして、ＭＦＰ１のプリンタ部３において、画像安定化処理における転写動作等が予備駆動動作として実行されるものの、ＭＦＰ１のスキャナ部２においては、シェーディング補正処理におけるスライダ移動動作等は予備駆動動作として実行されない。その後、当該プリンタ部３における予備駆動動作の終了後に、ボックス印刷ジョブが実行される。
【０１６９】
一方、スキャナ部２とプリンタ部３との両処理部のうちのプリンタ部３のみの動作を伴うジョブとは異なるジョブ（両処理部の双方の動作を伴うジョブとも異なるジョブ）の実行指示が音声指示待機動作にて受け付けられた場合、処理はステップＳ６１からステップＳ６２を経てステップＳ６３へと進む。たとえば、音声指示待機動作にてファクシミリ送信ジョブとボックス内データ送信ジョブとのいずれかのジョブの実行指示が受け付けられた場合、処理はステップＳ６１からステップＳ６２を経てステップＳ６３へと進む。
【０１７０】
ステップＳ６３において、ＭＦＰ１は、スキャナ部２とプリンタ部３との両処理部のうちのスキャナ部２のみの動作を伴うジョブの実行指示が音声指示待機動作にて受け付けられたか否か、を判定する。
【０１７１】
当該両処理部のうちのスキャナ部２のみの動作を伴うジョブの実行指示が音声指示待機動作にて受け付けられた場合、処理はステップＳ６１からステップＳ６２，Ｓ６３を経てステップＳ６６へと進む。たとえば、音声指示待機動作にてファクシミリ送信ジョブの実行指示が受け付けられた場合、処理はステップＳ６１からステップＳ６２，Ｓ６３を経てステップＳ６６へと進む。
【０１７２】
ステップＳ６６において、ＭＦＰ１は、スキャナ部２内における予備駆動動作を実行し且つプリンタ部３における予備駆動動作を実行すべきでない旨を決定する。そして、ＭＦＰ１のスキャナ部２において、シェーディング補正処理におけるスライダ移動動作等が予備駆動動作として実行されるものの、ＭＦＰ１のプリンタ部３においては、画像安定化処理における転写動作等は予備駆動動作として実行されない。その後、当該スキャナ部２における予備駆動動作の終了後に、ファクシミリ送信ジョブが実行される。
【０１７３】
一方、スキャナ部２とプリンタ部３との両処理部のうちのスキャナ部２のみの動作を伴うジョブとは異なるジョブ（両処理部の双方の動作を伴うジョブとも異なり且つ両処理部のうちのプリンタ部３のみの動作を伴うジョブとも異なるジョブ）の実行指示が音声指示待機動作にて受け付けられた場合、処理はステップＳ６１からステップＳ６２，Ｓ６３を経てステップＳ６７へと進む。たとえば、音声指示待機動作にてボックス内データ送信ジョブの実行指示が受け付けられた場合、処理はステップＳ６１からステップＳ６２，Ｓ６３を経てステップＳ６７へと進む。
【０１７４】
ステップＳ６７において、ＭＦＰ１は、スキャナ部２内における予備駆動動作とプリンタ部３における予備駆動動作との双方を実行すべきでない旨を決定する。この場合、ＭＦＰ１のスキャナ部２において、シェーディング補正処理におけるスライダ移動動作等は予備駆動動作として実行されず、ＭＦＰ１のプリンタ部３においても、画像安定化処理における転写動作等は予備駆動動作として実行されない。そして、ボックス内データ送信ジョブが実行される。
【０１７５】
このように、第４実施形態では、音声指示待機動作の終了後に予備駆動動作が実行されるように調整処理が実行される（図３参照）場合、音声指示待機動作にて受け付けられたジョブの種類に応じて、予備駆動動作が実行される処理部が変更される。その結果、音声指示待機動作にて受け付けられたジョブの実行に際して動作しない処理部では、予備駆動動作は実行されず、当該処理部の非通電状態が維持される。したがって、消費電力の低減（省電力化）を図ることが可能である。
【０１７６】
なお、ここでは、上記第４実施形態が第１実施形態の変形例として例示されているが、これに限定されず、上記第４実施形態の思想が上記第２、第３実施形態に適用されてもよい。
【０１７７】
たとえば、上記第２実施形態において、音声による遷移指示が受け付けられたことに基づいて、音声指示待機動作の終了後に予備駆動動作を実行すべき旨が決定された（ステップＳ１２（図６））場合、当該音声指示待機動作にて受け付けられたジョブの種類に応じた処理部にて当該予備駆動動作が実行されてもよい。
【０１７８】
また、上記第３実施形態において、音声指示待機動作が優先動作として設定されていることに基づいて、音声指示待機動作の終了後に予備駆動動作を実行すべき旨が決定された（ステップＳ１２（図８））場合、当該音声指示待機動作にて受け付けられたジョブの種類に応じた処理部にて当該予備駆動動作が実行されてもよい。
【０１７９】
＜５．変形例等＞
以上、この発明の実施の形態について説明したが、この発明は上記内容のものに限定されるものではない。
【０１８０】
たとえば、上記各実施形態等において、音声を用いて省電力状態から起動状態への遷移指示が付与された場合、当該音声の音量が一定程度よりも大きいか否かに応じて調整処理の実行是非がさらに決定されてもよい。
【０１８１】
図１４は、この改変例に係るＭＦＰ１の動作を示すフローチャートである。ここでは、この改変例の思想が第１実施形態に適用される態様を例示する。
【０１８２】
具体的には、省電力状態から起動状態への遷移指示が受け付けられる（ステップＳ１１）と、ＭＦＰ１は、当該遷移指示が音声を用いて付与されたか否かを判定する（ステップＳ５１）。
【０１８３】
当該遷移指示が音声を用いずに（操作部６等を用いて）付与された場合、処理はステップＳ５１からステップＳ１２〜Ｓ１５の処理が実行される。ステップＳ１２〜Ｓ１５の処理内容は第１実施形態と同様である。
【０１８４】
一方、遷移指示が音声を用いて付与された場合、処理はステップＳ５１からステップＳ５２へと進む。
【０１８５】
ステップＳ５２においてＭＦＰ１は、当該遷移指示に係る音声の音量が一定程度よりも大きいか否かを判定する。
【０１８６】
遷移指示に係る音声の音量が一定程度よりも小さい場合、ＭＦＰ１は、音声指示待機動作と予備駆動動作とのそれぞれの実行タイミングの調整処理を実行する。具体的には、ＭＦＰ１は、遷移指示に応答して音声指示待機動作を開始し当該音声指示待機動作の終了後に予備駆動動作を実行すべき旨を決定する（ステップＳ１２）。そして、遷移指示に応答して音声指示待機動作が開始され（ステップＳ１３）、当該音声指示待機動作の終了後に予備駆動動作が実行される（ステップＳ１５）。
【０１８７】
一方、遷移指示に係る音声の音量が当該一定程度よりも大きい場合、ＭＦＰ１は、当該調整処理を実行せず、音声指示待機動作と予備駆動動作とが並行して実行されることを許容する。詳細には、ＭＦＰ１は、遷移指示に応答して、音声指示待機動作と予備駆動動作との双方を開始する（ステップＳ５２）。
【０１８８】
具体的には、遷移指示に係る音声の音量が当該一定程度よりも大きい場合、ＭＦＰ１は、音声指示待機動作にて受け付けられる音声指示に係る音声の音量も一定程度よりも大きい旨を推定する。換言すれば、機械的駆動機構の駆動音とユーザの音声とが重複する場合であっても、音声認識率の低下度合いが所定程度よりも小さい旨が推定される。そして、ＭＦＰ１は、上述の調整処理を実行せず、音声指示待機動作と予備駆動動作とが並行して実行されることを許容する。詳細には、ＭＦＰ１は、当該遷移指示に応答して音声指示待機動作と予備駆動動作との双方を開始する。
【０１８９】
ここにおいて、調整処理が常に実行される場合、音声指示待機動作と予備駆動動作とが順次に（逐次的に）実行されることに起因してジョブの実行開始（ひいてはジョブの完了）が遅れ、ユーザの待機時間が長大化する。
【０１９０】
これに対して、この改変例では、省電力状態から起動状態への遷移指示が音声を用いて付与された場合、当該音声の音量が一定程度よりも大きいか否かに応じて、音声指示待機動作と予備駆動動作とのそれぞれの実行タイミングの調整処理の実行是非が決定される。詳細には、遷移指示に係る音声の音量が一定程度よりも大きい場合、当該調整処理が実行されず、音声指示待機動作と予備駆動動作とが並行して実行されることが許容される。その結果、音声指示待機動作と予備駆動動作とが逐次的に実行される場合と比較して、より早期にジョブが開始される。したがって、調整処理の実行に起因するユーザの待機時間の発生を抑制することが可能である。
【０１９１】
なお、ここでは、この改変例の思想が第１実施形態に適用される態様が例示されているが、これに限定されず、この改変例の思想が第２、第３実施形態等に適用されてもよい。
【０１９２】
具体的には、上記第２実施形態において、ステップＳ３１（図６）とステップＳ１２との間において、遷移指示に係る音声の音量が一定程度よりも大きいか否かがさらに判定されてもよい。そして、当該音量が一定程度よりも大きい場合は、音声指示待機動作と予備駆動動作とが並行して実行されてもよい。一方、当該音量が一定程度よりも小さい場合は、音声指示待機動作の終了後に予備駆動動作が実行されてもよい。
【０１９３】
また、上記第３実施形態において、遷移指示が音声を用いて付与された場合、ステップＳ４１（図８）とステップＳ４２との間において、当該遷移指示に係る音声の音量が一定程度よりも大きいか否かがさらに判定されてもよい。そして、当該音量が一定程度よりも大きい場合は、音声指示待機動作と予備駆動動作とが並行して実行されてもよい。一方、当該音量が一定程度よりも小さい場合は、優先動作に関する設定内容に応じて音声指示待機動作と予備駆動動作との実行順序が決定されてもよい。
【０１９４】
また、上記第１実施形態では、省電力状態（あるいは電源オフ状態）から起動状態への遷移指示が付与された場合、音声指示待機動作の終了後に予備駆動動作を実行すべき旨が常に決定されている（ステップＳ１２（図４））が、これに限定されない。
【０１９５】
たとえば、当該遷移指示が付与された場合、逆に、予備駆動動作の終了後に音声指示待機動作を実行すべき旨が常に決定されてもよい。この場合、予備駆動動作の終了後に音声指示待機動作が実行される旨をユーザに通知する通知処理がさらに実行される（図７参照）ことが好ましい。なお、当該通知処理が実行されない場合であっても、上述したように、予備駆動動作の終了までユーザによる音声指示は受け付けられないので、無用な音声認識処理が実行されることを回避することが可能であり、音声認識処理を適切に実行することが可能である。
【符号の説明】
【０１９６】
１  画像形成装置（ＭＦＰ）
４００  通知画面
５００  優先動作設定画面
【図１】
2020099006.tif 000003
【図２】
2020099006.tif 000004
【図３】
2020099006.tif 000005
【図４】
2020099006.tif 000006
【図５】
2020099006.tif 000007
【図６】
2020099006.tif 000008
【図７】
2020099006.tif 000009
【図８】
2020099006.tif 000010
【図９】
2020099006.tif 000011
【図１０】
2020099006.tif 000012
【図１１】
2020099006.tif 000013
【図１２】
2020099006.tif 000014
【図１３】
2020099006.tif 000015
【図１４】
2020099006.tif 000016
【図１５】
2020099006.tif 000017
【図１６】
2020099006.tif 000018
【図１７】
2020099006.tif 000019
【図１８】
2020099006.tif 000020